(57)【要約】モバイル装置（２００）は、ハンドセット（２０５）および、ＩＰアドレス（３４０）を含むユーザ固有の情報を格納するための、一意の記憶モジュールＩＤを有する取り外し可能な記憶モジュール（２１０）を備える。加入者を一意に識別するＰＬＭＮ（３２０）およびＩＭＳＩ（３３０）に関する追加情報も、取り外し可能な記憶モジュール（２１０）に格納される。モバイルネットワーク（４０５）のセル内に正常に留まっている場合、モバイル装置（２００）と通信できるＩＰアドレス（３４０）がＩＰネットワーク（４１０）に転送される。代替の実施態様において、モバイル装置（２００）はＩＰネットワーク（４１０）およびセルラネットワーク（４０５）へ並列に通信することができるマルチネットワーク対応機能を備えている。もう１つの実施態様において、マルチネットワーク対応機能を有するモバイル装置（２００）の既存のセルラネットワークサービスは、ＩＰネットワーク（４１０）を経由してルーティングされる。
2005526461.tif 000002
【特許請求の範囲】
【請求項１】
無線通信を送受信し、および処理するための一意のハンドセットＩＤを有するハンドセットと、
ユーザ固有の情報であって、ＩＰアドレスを含む情報を格納し、一意の記憶モジュールＩＤを有する取り外し可能な記憶モジュールと
を備えたことを特徴とするモバイル装置。
【請求項２】
前記ＩＰアドレスは、ＩＰネットワークにアクセスするために使用され、前記ＩＰネットワークとの間のデータ転送を容易にすることを特徴とする請求項１に記載のモバイル装置。
【請求項３】
前記格納される情報は、
（ｉ）ＰＬＭＮ情報と、
（ｉｉ）ＩＭＳＩ情報とをさらに含むことを特徴とする請求項１に記載のモバイル装置。
【請求項４】
前記取り外し可能な記憶モジュールは、ＳＩＭであることを特徴とする請求項１に記載のモバイル装置。
【請求項５】
前記取り外し可能な記憶モジュールは、ＵＳＩＭであることを特徴とする請求項１に記載のモバイル装置。
【請求項６】
前記取り外し可能な記憶モジュールは、スマートカードであることを特徴とする請求項１に記載のモバイル装置。
【請求項７】
送受信および無線通信の処理のための一意のハンドセットＩＤを有するハンドセットと、
ＩＰアドレスおよびＩＭＳＩ情報を含むユーザ固有の情報を格納し、一意の記憶モジュールＩＤを有する取り外し可能な記憶モジュールと、
前記情報を１つまたは複数のネットワークに選択的に送信する手段と
を備えたことを特徴とするモバイル装置。
【請求項８】
前記ネットワークは、セルラネットワークおよびＩＰネットワークを含むことを特徴とする請求項７に記載のモバイル装置。
【請求項９】
前記ＩＰアドレスは、前記ＩＰネットワークにアクセスするために用いられることを特徴とする請求項８に記載のモバイル装置。
【請求項１０】
前記モバイル装置は、マルチネットワーク対応機能を備え、前記ＩＰネットワークおよび前記セルラネットワークへ並列に通信することができることを特徴とする請求項８に記載のモバイル装置。
【請求項１１】
前記ＩＭＳＩ情報を用いて確立された接続を介して前記セルラネットワークと通信する手段と、
前記ＩＰアドレスを用いて前記ＩＰネットワークにアクセスする手段と、
セルラネットワークとの確立された接続を破棄し、既存のセルラネットワークサービスをＩＰネットワーク経由でルーティングする手段とをさらに備えることを特徴とする請求項８に記載のモバイル装置。
【請求項１２】
確立された接続を介して前記セルラネットワークとの接続を確立する手段と、
前記ＩＰアドレスを用いて前記ＩＰネットワークにアクセスする手段と、
セルラネットワークおよびＩＰネットワークへ並列に通信する手段と
をさらに備えたことを特徴とする請求項８に記載のモバイル装置。
【請求項１３】
前記取り外し可能な記憶モジュールは、ＳＩＭであることを特徴とする請求項７に記載のモバイル装置。
【請求項１４】
前記取り外し可能な記憶モジュールは、ＵＳＩＭであることを特徴とする請求項７に記載のモバイル装置。
【請求項１５】
前記取り外し可能な記憶モジュールは、スマートカードであることを特徴とする請求項７に記載のモバイル装置。
【請求項１６】
前記格納される情報は、ＰＬＭＮ情報をさらに含むことを特徴とする請求項７に記載のモバイル装置。
【請求項１７】
（ａ）送受信および無線通信の処理のための一意のハンドセットＩＤを有するハンドセットと、
（ｂ）ユーザ固有の情報を格納し、一意の記憶モジュールＩＤを有する取り外し可能な記憶モジュールであって、前記情報は、
（ｉ）ＩＰアドレスと、
（ｉｉ）ＰＬＭＮ情報と、
（ｉｉｉ）ＩＭＳＩ情報とを含む記憶モジュールと、
（ｃ）前記情報を１つまたは複数のネットワークに選択的に送信する手段と
を備えたことを特徴とするモバイル装置。
【請求項１８】
モバイル装置と複数のネットワークとの間の通信を確立する通信方法であって、前記モバイル装置が一意の記憶モジュールＩＤを有する取り外し可能な記憶モジュールを含み、
（ａ）前記取り外し可能な記憶モジュールにおいて、ＩＰアドレスを含む、ユーザ固有の情報を提供するステップと、
（ｂ）前記モバイル装置が、確立された接続を介して前記ネットワークのうち第１のネットワークと通信するステップと、
（ｃ）前記モバイル装置が、前記ＩＰアドレスを用いて前記ネットワークのうち第２のネットワークにアクセスするステップと、
（ｄ）前記モバイル装置が、前記第１のネットワークとの確立された接続を破棄し、前記第２のネットワーク経由で前記第１のネットワークに関連付けられた既存のサービスをルーティングするステップと
を備えたことを特徴とする通信方法。
【請求項１９】
前記第１のネットワークはセルラネットワークであり、前記第２のネットワークはＩＰネットワークであることを特徴とする請求項１８に記載の方法。
【請求項２０】
前記第１のネットワークはセルラネットワークであり、前記第２のネットワークは無線ＬＡＮであることを特徴とする請求項１８に記載の方法。
【請求項２１】
モバイル装置と複数のネットワークとの間の通信を確立する通信方法であって、前記モバイル装置が一意の記憶モジュールＩＤを有する取り外し可能な記憶モジュールを含み、
（ａ）前記取り外し可能な記憶モジュールにおいて、ＩＰアドレスを含む、ユーザ固有の情報を提供するステップと、
（ｂ）前記モバイル装置が、確立された接続を介して前記ネットワークのうち第１のネットワークと通信するステップと、
（ｃ）前記モバイル装置が、前記ＩＰアドレスを用いて前記ネットワークのうち第２のネットワークにアクセスするステップと、
（ｄ）前記モバイル装置が、第１および第２のネットワークへ並列に通信するステップとを備えることを特徴とする方法。
【請求項２２】
前記第１のネットワークはセルラネットワークであり、前記第２のネットワークはＩＰネットワークであることを特徴とする請求項２１に記載の方法。
【請求項２３】
前記第１のネットワークはセルラネットワークであり、前記第２のネットワークは無線ＬＡＮであることを特徴とする請求項２１に記載の方法。
【発明の詳細な説明】
【技術分野】
【０００１】
本発明は、無線装置のユーザの識別に関する。より詳細には、そのような無線装置を、ＩＰネットワーク（Ｉｎｔｅｒｎｅｔ  Ｐｒｏｔｏｃｏｌ−ｂａｓｅｄｅ  ｎｅｔｗｏｒｋ）にアクセスするために、内部に格納されたＩＰアドレスを用いて識別することに関する。
【背景技術】
【０００２】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムにおいて、移動局（ＭＳ）は、無線端末（ハンドセットなど）およびＳＩＭ（Ｓｕｂｓｃｒｉｂｅｒ  Ｉｄｅｎｔｉｔｙ  Ｍｏｄｕｌｅ）と呼ばれる取り外し可能なスマートカードから構成されている。第３世代（３Ｇ）ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ）において、ユーザ機器（ＵＥ）は、モバイル機器（ＭＥ）およびＵＳＩＭ（ＵＭＴＳ  Ｓｕｂｓｃｒｉｂｅｒ  Ｉｄｅｎｔｉｔｙ  Ｍｏｄｕｌｅ）と呼ばれる取り外し可能なスマートカードから構成されている。ＭＥは、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）ノードと通信し、順に回線交換（ＣＳ）またはパケット交換（ＰＳ）コアネットワークへの接続を確立することができる。
【０００３】
ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）は、モバイル機器を一意に識別するものである。ＳＩＭまたはＵＳＩＭカードは、加入者を一意に識別するＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含む。ＩＭＥＩとＩＭＳＩとは独立したものであり、パーソナルモビリティ（ｐｅｒｓｏｎａｌ  ｍｏｂｉｌｉｔｙ）が可能となる。
【０００４】
３Ｇ  ＵＭＴＳの場合、基地局コントローラは、無線ネットワークコントローラ（ＲＮＣ）に対応する。ここでは、複数の基地局がノードＢによって制御され、ノードＢは順にＲＮＣへの接続を行う。
【０００５】
ＳＩＭまたはＵＳＩＭはパーソナルモビリティを実現し、その結果、ユーザは、固別の端末とかかわりなく加入しているサービスにアクセスできる。ＳＩＭカードを別のＧＳＭまたは３Ｇ端末に挿入することにより、ユーザは電話を受けることも、電話をかけることも、その端末から他の加入サービスを受けることもできる。
【０００６】
図１に、ＵＳＩＭまたはＳＩＭカード１１５をそれぞれ挿入してあるハンドセット１１０を備える一般的なＭＳまたはＵＥ１０５を含む従来の３Ｇ  ＵＭＴＳ１００を示す。ＵＳＩＭまたはＳＩＭカード１１５は、ＰＬＭＮ（Ｐｕｂｌｉｃ  Ｌａｎｄ  Ｍｏｂｉｌｅ  Ｎｅｔｗｏｒｋ）情報およびＩＭＳＩ情報を格納する。ＭＳ１１０への接続要求が（電話をかける、または電話を受けることによって）受信されると（Ｓ１）、ＰＬＭＮおよびＩＭＳＩ情報が初期セル探索を容易にするためにＵＳＩＭまたはＳＩＭカード１１５からハンドセット１１０に転送され、探索の結果判定されたセルに留まる（ｃａｍｐ）（Ｓ２）。ＭＳまたはＵＥ１０５とＵＴＲＡＮノード１２０との間の通信リンクが確立され、システム情報がＵＴＲＡＮノード１２０からＭＳまたはＵＥ１０５に送信される（Ｓ３Ａ、Ｓ３Ｂ）。これに応答して、ＭＳまたはＵＥ１０５は、格納されているＩＭＳＩ情報を含む接続要求をＵＴＲＡＮノード１２０に送信する（Ｓ４）。ＵＴＲＡＮノード１２０によって接続が許可されると（Ｓ５Ａ、Ｓ５Ｂ）、ＭＳまたはＵＥ１０５を用いて、ＣＳまたはＰＳコアネットワーク１２５への転送および／または接続を要求することができる（Ｓ６Ａ、Ｓ６Ｂ）。ＭＳまたはＵＥ１０５がコアネットワーク１２５に接続されると（Ｓ６Ｂ）、データはコアネットワークとＭＳまたはＵＥ１０５との間で転送される（Ｓ７）。
【０００７】
３ＧＰＰ  ＴＳ  ２３．００３によって規定されているプロトコル拡張により、インターネットのモバイルノードにＩＰデータグラムを透過的にルーティングすることが可能になる。ＩＰデータグラムは、インターネットプロトコルを使用するあらゆるネットワーク上で受け渡しされる情報の基本単位である。ＩＰデータグラムは、データグラムの長さ、ヘッダチェックサム、およびデータグラムが断片化できるか（または断片化されているか）否かを示すフラグなどの事項を定義するデータおよびいくつかのフィールドとともに、ソースアドレスおよび宛先アドレスを含む。
【０００８】
各モバイルノードは常に、現在のインターネット接続点には関わりなく、ホームアドレスによって識別される。モバイルノードは、１つのネットワークまたはサブネットワークから別のネットワークまたはサブネットワークに接続点を変更するホストまたはルータである。モバイルノードは、ＩＰアドレスを変更せずに場所を変更することができる。したがって、モバイルノードは、接続点にリンク−レイヤを相互接続することが可能であると仮定すれば、不変なＩＰアドレスを用いて任意の場所で他のインターネットノードと通信を続けることができる。
【０００９】
モバイルノードは、ホームを離れた場所に位置している場合、現在のインターネット接続点に関する情報を提供する気付アドレス（ｃａｒｅ−ｏｆ  ａｄｄｒｅｓｓ）にも関連付けられる。気付アドレスは、モバイルノードへのトンネルの終端である。トンネルは、カプセル化されている間にデータグラムが辿るパスである。外部エージェントの気付メッセージは、モバイルノードが登録されている外部エージェントのアドレスである。同一の場所に置かれる（ｃｏ−ｌｏｃａｔｅｄ）気付メッセージは、外部で取得されたローカルアドレスであって、モバイルノードがそれぞれのネットワークインターフェースの１つに関連付けられるローカルアドレスである。
【００１０】
プロトコルは、ホームエージェントへの気付アドレスの登録を規定する。ホームエージェントは、モバイルノードのホームネットワーク上のルータであり、ホームを離れたときにトンネルを介してデータグラムをモバイルノードに配信し、モバイルノードの現在の位置情報を保持する。ホームエージェントは、モバイルノードに宛てられたデータグラムを、トンネルを通じて気付アドレスに送信する。トンネルを貫けると、各データグラムはモバイルノードに配信される。
【００１１】
インターネットルーティングにおいて、気付アドレスは、装置がそのホームネットワーク以外の場所から接続している場合にもメッセージを配信できるようにするモバイルノード（モバイル装置）の一時ＩＰアドレスである。気付アドレスは、モバイルノードの現在のインターネット接続点を識別して、装置のホームアドレス（不変なＩＰアドレス）を変更することなく別の場所から接続できるようにする。これは、郵便システムで気付住所を通じて手紙が転送される場合と同様に機能する。既知の不変なアドレスに送信されたメッセージは、そこで受信者が受信可能な間は気付アドレスに転送される。したがって、受信者は、場所を変えたときに正式なアドレスを一時アドレスに変更して、ホームに戻ったときにアドレスを元に戻す必要がなくなる。
【００１２】
モバイル装置がそのホームネットワークから離れている場合、モバイル装置は気付アドレスに割り当てられる。これは、訪問先ネットワーク上の外部エージェントの静的ＩＰアドレスである外部エージェントの気付アドレスにすることも、モバイルノードに割り当てられている一時ＩＰアドレスである同一の場所に置かれる気付アドレスにすることもできる。同一の場所に置かれる気付アドレスは、動的ホスト構成プロトコル（ＤＨＣＰ）などの手段を通じて取得することも、個別の外部ネットワークを通じて接続する装置を割り当てた長期的なアドレスとすることもできる。モバイルＩＰは、インターネット技術標準化委員会（ＩＥＴＦ）ＲＦＣ２００２仕様で定義されているように、ホームネットワーク上にあるホームエージェントに気付アドレスを登録する。モバイルノードのメッセージがホームネットワークに配信される場合、ホームエージェントはメッセージをインターセプトし、気付アドレスの受信者までトンネリングする。
【発明の開示】
【発明が解決しようとする課題】
【００１３】
ＵＥは、有効なＩＭＳＩが存在する場合にのみ操作することができる。ＩＭＳＩは主として、個々の課金のための加入者によるＰＬＭＮ情報の取得を目的としている。しかし、現在のセルラ方式は、ＩＰネットワークのコンテキストにおけるＭＳまたはＵＥの用途に対応していない。ＩＰネットワークの利用が広く一般化するにつれて、ＩＰ対応機能の不足が多くのＭＳまたはＵＥユーザに問題となっている。
【００１４】
セルラ方式でＩＰネットワークの機能が組み込まれる傾向が強まるにつれて、ＩＰアドレスを備えるＭＳまたはＵＥ（以下「モバイル装置」と呼ぶ）の機能を改善することが重要になる。本発明は、モバイル装置で使用されているＳＩＭ、ＵＳＩＭ、または任意のスマートカードに格納されたＩＰアドレスによってもモバイル装置を識別する。対応するＩＰアドレスの種類の例としては、ＩＰｖ４、ＩＰｖ６およびモバイルＩＰに使用される気付アドレスなどがある。
【課題を解決するための手段】
【００１５】
好ましい態様において、モバイル装置はハンドセットおよび取り外し可能な記憶モジュール（ＳＩＭ、ＵＳＩＭなど）を備える。ハンドセットは、無線通信を送受信し、および処理するための一意のハンドセットＩＤを有する。取り外し可能な記憶モジュールは、ＩＰアドレスを含むユーザ固有の情報を格納するための一意の記憶モジュールＩＤを有する。さらに、取り外し可能な記憶モジュールは、ＰＬＭＮ情報、ＩＭＳＩ情報、およびユーザ情報を格納することができる。ハンドセットは、ネットワークとの通信リンクを確立するために、そのような情報を１つまたは複数のネットワークに選択的に送信する。
【００１６】
モバイル装置の取り外し可能な記憶装置は、ＩＭＳＩ情報およびＩＰアドレスを使用してＩＰネットワークおよびセルラネットワークへ並列にアクセスすることもできるので、モバイルのユーザはセルラネットワークにアクセスして音声通信を実行しながら、ＩＰネットワークにもデータを照会することができる。
【００１７】
またはこれに替えて、モバイル装置は１つの第１のネットワークとの確立された接続を破棄し、第２のネットワーク経由で第１のネットワークに関連付けられた既存のサービスをルーティングすることもできる。
【発明を実施するための最良の形態】
【００１８】
図２に、ＩＰアドレスを割り当てられ、そのＩＰアドレスが有効な場合に動作可能なモバイル装置２００を示す。ＩＭＳＩおよびＩＰアドレスは、モバイル装置２００内で共存可能であり、モバイル装置２００は、ＩＭＳＩ、ＩＰアドレス、またはその両方によって識別することができる。
【００１９】
モバイル装置２００は、無線通信を送受信し、および処理するための一意のハンドセットＩＤを有するハンドセット２０５を備える。モバイル装置２００は、、一意の記憶モジュールＩＤを有する取り外し可能な記憶モジュール２１０がさらに備えられ、ユーザ固有の情報を格納する。
【００２０】
図３に示すように、取り外し可能な記憶モジュール２１０に格納される情報は、ＩＰアドレス３４０を含む。ＩＰネットワークとの間のデータ転送を円滑に行うため、ＩＰアドレス３４０を用いてＩＰネットワークにアクセスする。格納される情報には、ＰＬＭＮ情報３２０、ＩＭＳＩ情報３３０、およびユーザ情報３５０がさらに含まれる。取り外し可能な記憶モジュール２１０は、ＳＩＭ、ＵＳＩＭまたは他の種類のスマートカードであってもよい。
【００２１】
図４に、少なくとも１つのモバイル装置２００、セルラネットワーク４０５、およびＩＰネットワーク４１０を含むシステム４００を示す。モバイル装置２００は、モバイル装置２００の取り外し可能な記憶モジュール２１０（図２を参照）に格納されたＩＰアドレス３４０およびＩＭＳＩ情報３３０を、セルラネットワーク４０５およびＩＰネットワーク４１０などの１つまたは複数のネットワークに選択的に送信する。モバイル装置２００は、マルチネットワーク対応機能を備え、ＩＰネットワーク４１０およびセルラネットワーク４０５へ並列に通信することができる。モバイル装置２００は、ＩＭＳＩ情報３３０を用いて確立される接続を介してセルラネットワーク４０５と通信し（Ｓ８、Ｓ９）、セルラサービスを送受信する（Ｓ１０）。モバイル装置２００は、ＩＰアドレスを使用してＩＰネットワーク４１０と通信し（Ｓ１１、Ｓ１２）、ＩＰデータサービスを送受信する（Ｓ１３）。一実施形態において、セルラネットワーク４０５で確立される接続を破棄し、既存のセルラネットワークサービスをＩＰネットワーク４１０経由で提供することもできる。別の実施形態において、モバイル装置２００は、セルラネットワーク４０５およびＩＰネットワーク４１０へ並列に通信することもできる。あるいは、モバイル装置２００は、ＩＰネットワーク４１０ではなく、無線ＬＡＮ（ｌｏｃａｌ  ａｒｅａ  ｎｅｔｗｏｒｋ）と通信することもできる。
【００２２】
図５に、少なくとも１つのモバイル装置２００、およびモバイル装置２００とメッセージを交換することができるＡＬＬ  ＩＰネットワーク５０５を示す。モバイル装置２００は、モバイル装置が物理層においてＩＰネットワークにアクセスできる場合、モバイル装置がセルラネットワークを介さずにＡＬＬ  ＩＰネットワーク５０５に接続できるようにするＩＰアドレスを内部に格納している。（電話をかけ、または着信することによって）モバイル装置２００への接続の要求が受信されると（Ｓ１４）、ＰＬＭＮ情報３２０、ＩＰアドレス３４０、およびユーザ情報３５０が初期セル探索を容易にするために取り外し可能な記憶モジュール２１０からハンドセット２０５に転送され、探索から判別されるセルをキャンプオンする（Ｓ１５）。モバイル装置２００とＡＬＬ  ＩＰネットワーク５０５との間の通信リンクが確立され、システム情報がＡＬＬ  ＩＰネットワーク５０５からモバイル装置２００に送信される（Ｓ１６Ａ、Ｓ１６Ｂ）。これに応答して、モバイル装置２００は、格納されているＩＰアドレス３４０およびユーザ情報３５０を含む接続要求をＡＬＬ  ＩＰネットワーク５０５に送信する（Ｓ１７）。ＡＬＬ  ＩＰネットワーク５０５によって接続が許可されると（Ｓ１８Ａ、Ｓ１８Ｂ）、モバイル装置２００とＡＬＬ  ＩＰネットワーク５０５との間のデータ転送を開始することができる（Ｓ１９）。
【００２３】
図６に、少なくとも１つのモバイル装置２００、ＵＴＲＡＮノード６０５、およびコアネットワーク／ＩＰネットワーク６１０を含むシステム６００を示す。モバイル装置２００への接続要求が（電話をかける、または電話を受けることによって）受信されると（Ｓ２０）、ＰＬＭＮ情報３２０、ＩＭＳＩ情報３３０、およびＩＰアドレス３４０が初期セル探索を容易するために取り外し可能な記憶モジュール２１０からハンドセット２０５に転送され、探索の結果判定されたセルに留まる（Ｓ２１）。モバイル装置２００とＵＴＲＡＮノード６０５との間の通信リンクが確立され、システム情報がＵＴＲＡＮノード６０５からモバイル装置２００に送信される（Ｓ２２Ａ、Ｓ２２Ｂ）。これに応答して、モバイル装置２００は、格納されているＩＭＳＩ情報３３０を含む接続要求をＵＴＲＡＮノード６０５に送信する（Ｓ２３）。ＵＴＲＡＮノード６０５によって接続が許可されると（Ｓ２４Ａ、Ｓ２４Ｂ）、モバイル装置２００を用いてＣＳまたはＰＳコアネットワーク／ＩＰネットワーク６１０への転送および／または接続を要求することができ（Ｓ２５Ａ、Ｓ２５Ｂ）、それによりＵＴＲＡＮノード６０５は、ＩＰアドレス３４０をコアネットワーク／ＩＰネットワーク６１０に転送する（Ｓ２５Ｂ）。モバイル装置２００がコアネットワーク／ＩＰネットワーク６１０に接続されると、データはコアネットワーク／ＩＰネットワーク６１０とモバイル装置２００との間で転送することができる（Ｓ２６）。
【００２４】
図７は、少なくとも１つのモバイル装置２００、ＵＴＲＡＮノード７０５、回線交換ネットワーク７１０、およびＡＬＬ  ＩＰネットワーク７１５を含むシステム７００を示している。（電話をかけ、または着信することによって）モバイル装置２００への接続要求が受信されると（Ｓ２７）、ＰＬＭＮ情報３２０、ＩＭＳＩ情報３３０、ＩＰアドレス３４０、およびユーザ情報３５０が初期セル探索を容易にするために取り外し可能な記憶モジュール２１０からハンドセット２０５に転送され、探索の結果判定されたセルに留まる（Ｓ２８）。モバイル装置２００とＵＴＲＡＮノード７０５との間の通信リンクが確立され、システム情報がＵＴＲＡＮノード７０５からモバイル装置２００に送信される（Ｓ２９Ａ、Ｓ２９Ｂ）。これに応答して、モバイル装置２００は、格納されているＩＭＳＩ情報３３０を含む接続要求をＵＴＲＡＮノード７０５に送信する（Ｓ３０）。ＵＴＲＡＮノード７０５によって接続が許可されると（Ｓ３１Ａ、Ｓ３１Ｂ）、モバイル装置２００を用いて回線交換ネットワーク７１０への転送および／または接続を要求することができる（Ｓ３２Ａ、Ｓ３２Ｂ）。モバイル装置２００が回線交換ネットワーク７１０に接続されると、データは回線交換ネットワークとモバイル装置２００との間で転送することができる（Ｓ３３）。モバイル装置２００は、格納されているＩＰアドレス３４０およびユーザ情報３５０を含む接続要求をＡＬＬ  ＩＰネットワーク７１５にも送信する（Ｓ３４）。ＡＬＬ  ＩＰネットワーク７１５によって接続が許可されると（Ｓ３５Ａ、Ｓ３５Ｂ）、回線交換データへの他の接続には関係なく、モバイル装置２００とＡＬＬ  ＩＰネットワーク５０５との間のデータ転送を開始することができる（Ｓ３６）。
【００２５】
図８は、モバイル装置２００と複数のネットワークとの間の通信が確立される本発明の一実施形態を実施するための方法のステップを示す流れ図である。モバイル装置２００は、本明細書において説明されているように、一意の記憶モジュールＩＤを有する取り外し可能な記憶モジュール２１０を備える。ステップ８０５において、ユーザ固有の情報は、取り外し可能な記憶モジュール２１０に提供される。この情報にはＩＰアドレスが含まれる。ステップ８１０において、モバイル装置２００は、確立された接続を介して前記ネットワークのうち最初のネットワークと通信する。ステップ８１５において、モバイル装置２００は、ＩＰアドレスを用いて前記ネットワークのうち２番目のネットワークと通信する。ステップ８２０において、モバイル装置２００は、第１のネットワークとの確立された接続を破棄し、第２のネットワーク経由で第１のネットワークに関連付けられた既存のサービスをルーティングする。第１のネットワークをセルラネットワークに、第２のネットワークをＩＰネットワークにすることができる。
【００２６】
図９は、モバイル装置２００と複数のネットワークとの間の通信が確立される本発明のもう１つの実施形態を実施する方法のステップを示す流れ図である。モバイル装置２００は、本明細書において説明されているように、一意の記憶モジュールＩＤを有する取り外し可能な記憶モジュール２１０を備える。ステップ９０５において、ユーザ固有の情報は、取り外し可能な記憶モジュール２１０に提供される。情報にはＩＰアドレスが含まれる。ステップ９１０において、モバイル装置２００は、確立された接続を介して前記ネットワークのうち最初のネットワークと通信する。ステップ９１５において、モバイル装置２００は、ＩＰアドレスを使用して前記ネットワークのうち２番目のネットワークと通信する。ステップ９２０において、モバイル装置２００は、第１および第２のネットワークへ並列に通信する。図９に示すように、第１のネットワークをセルラネットワークに、第２のネットワークをＩＰネットワークにすることができる。
【００２７】
本発明は、従来のシステムに勝るいくつかの重要な利点を備えている。第１の利点は、モバイル装置２００に格納されるＩＰアドレスが、セルラシステムと無線ＬＡＮとの間のハンドオフシナリオ（ｈａｎｄｏｆｆ  ｓｃｅｎａｒｉｏ）に使用できることである。第２の利点は、モバイル装置２００が識別可能なＩＰアドレスを有する場合、セルラネットワークを経由することなく、インターネットなどのＩＰネットワークに接続できるようになることである。
【００２８】
本発明について好ましい実施形態を参照して説明してきたが、特許請求の範囲に記載されている本発明の範囲内でさまざまな変更が可能であることは当業者には理解されるであろう。
【図面の簡単な説明】
【００２９】
【図１】典型的なＭＳまたはＵＥを含む従来の３Ｇ  ＵＭＴＳを示す図である。
【図２】本発明の好ましい実施形態により構成されたハンドセットおよび取り外し可能な記憶モジュールを含むモバイル装置を示す図である。
【図３】図２の取り外し可能な記憶モジュールに格納される情報の種類を示す図である。
【図４】本発明の１つの実施形態により図２のモバイル装置がセルラネットワークおよびＩＰネットワークとどのように通信するかを示す系統図である。
【図５】本発明の１つの実施形態により図２のモバイル装置がＡＬＬ  ＩＰネットワークとどのように通信するかを示す系統図である。
【図６】本発明の１つの実施形態により図２のモバイル装置がＵＴＲＡＮノードおよびコアネットワーク／ＩＰネットワークとどのように通信するかを示す系統図である。
【図７】本発明の１つの実施形態により図２のモバイル装置がＵＴＲＡＮノード、回線交換ネットワークおよびＡＬＬ  ＩＰネットワークとどのように通信するかを示す系統図である。
【図８】本発明の１つの実施形態により図２のモバイル装置および複数のネットワーク間の通信を確立し、それにより一方のネットワークに関連付けられた既存サービスがもう一方のネットワークを経由してルーティングされる方法のステップを示す流れ図である。
【図９】本発明の１つの実施形態により図２のモバイル装置と複数のネットワークとの間の通信を同時に確立する方法のステップを示す流れ図である。
【図１】
2005526461.tif 000003
【図２】
2005526461.tif 000004
【図３】
2005526461.tif 000005
【図４】
2005526461.tif 000006
【図５】
2005526461.tif 000007
【図６】
2005526461.tif 000008
【図７】
2005526461.tif 000009
【図８】
2005526461.tif 000010
【図９】
2005526461.tif 000011
【国際調査報告】
2005526461.tif 000012